(57)【特許請求の範囲】
【請求項１】
動物が排尿する支持台を備えた動物用トイレであって、
上記支持台の底部には、開口部が形成されており、
上記開口部には網目が形成されており、
上記網目の一部は、当該網目の一部以外の上記支持台の下側面より下方に突出しており、
上記網目は、交差箇所同士の間に、下向きの頂点を有することを特徴とする動物用トイレ。
【請求項２】
動物が排尿する支持台を備えた動物用トイレであって、
上記支持台の底部には、開口部が形成されており、
上記開口部には網目が形成されており、
上記網目の一部は、当該網目の一部以外の上記支持台の下側面より下方に突出しており、
上記網目における交差箇所同士の間には、ドーム状の突起が形成されていることを特徴とする動物用トイレ。
【請求項３】
動物が排尿する支持台を備えた動物用トイレであって、
上記支持台の底部には、開口部が形成されており、
上記開口部には網目が形成されており、
上記網目の一部は、当該網目の一部以外の上記支持台の下側面より下方に突出しており、
上記網目は、第１方向に延びる梁と、第１方向と交差する第２方向に延びる梁とを含み、
上記第１方向および上記第２方向の両方において、下向きの山となっている交差箇所と、谷となっている交差箇所とが交互に並んでいることを特徴とする動物用トイレ。
【発明の詳細な説明】
【技術分野】
【０００１】
本発明は動物用トイレに関する。
【背景技術】
【０００２】
特許文献１に記載された動物用トイレは、粒状物を収容する箱状の粒状物収納容器と、当該粒状物収納容器の下方に位置する吸液シートとを備えている。粒状物収納容器の底部には、複数の桟が交差することで形成された複数の開口が設けられている。これにより、粒状物収納容器の底部の上方から排泄された動物の尿等の液体は、上記複数の開口を通って上記吸液シートへ落下し、当該吸液シートにて吸収される。
【０００３】
さらに、特許文献１に記載された動物用トイレでは、上記複数の桟における上記吸液シートと対向する面のうち、桟同士が交差する部分の間は、上方（上記吸液シートから離れる方向）へ窪んだ円弧状を有するアーチ部となっている。この結果、上記複数の桟における上記吸液シートと対向する面のうち桟同士が交差する部分は、アーチ部が連続することで形成された凸部となっている。
【０００４】
これにより、粒状物収納容器の底部の上方から排泄された動物の尿等の液体は、上記桟において円弧状を有する上記アーチ部に沿って移動し、桟同士が交差する部分である上記凸部に集まる。この結果、特許文献１では、動物の尿等の液体が粒状物収納容器の底部に留まらず、素早く、粒状物収納容器の底部から吸液シートへ落下させることができるとされている。
【先行技術文献】
【特許文献】
【０００５】
【特許文献１】特開２００５‐６６０５号公報（２００５年１月１３日公開）
【発明の概要】
【発明が解決しようとする課題】
【０００６】
しかしながら、特許文献１に記載の動物用トイレは、粒状物収納容器の底部に設けられた上記複数の桟における上記吸液シートと対向する面に形成された上記アーチ部は円弧状に窪んでいる。このため、動物の尿等の排泄物が、桟同士が交差する部分である上記凸部に付着し乾燥すると、拭き取り難く、掃除がし難いという問題がある。
【０００７】
本発明は、前記の問題点に鑑みてなされたものであり、その目的は、開口部に付着した動物の尿等の排泄物を下方に落下させ易く、かつ、掃除がし易い動物用トイレを実現することにある。
【課題を解決するための手段】
【０００８】
上記の課題を解決するために、本発明の一態様に係る動物用トイレは、動物が排尿する支持台を備えた動物用トイレであって、上記支持台の底部には、開口部が形成されており、上記開口部には網目が形成されており、上記網目の一部は、当該網目の一部以外の上記支持台の下側面より下方に突出していることを特徴とする。
【発明の効果】
【０００９】
本発明の一態様によれば、開口部に付着した動物の尿等の排泄物を下方に落下させ易く、かつ、掃除がし易い動物用トイレを実現することができるという効果を奏する。
【図面の簡単な説明】
【００１０】
【図１】本発明の実施形態１に係るペット用トイレの構成を示す図である。
【図２】上記ペット用トイレの断面図である。
【図３】上記ペット用トイレの斜視図である。
【図４】上記ペット用トイレの分解斜視図である。
【図５】上記ペット用トイレの支持台におけるメッシュの構成を表す斜視図である。
【図６】本発明の実施形態２に係るペット用トイレの支持台におけるメッシュの構成を表す斜視図である。
【図７】本発明の実施形態３に係るペット用トイレの支持台におけるメッシュの構成を表す斜視図である。
【図８】本発明の実施形態４に係るペット用トイレの支持台におけるメッシュの構成を表す斜視図である。
【図９】本発明の実施形態５に係るペット用トイレの支持台におけるメッシュの構成を表す斜視図である。
【図１０】本発明の実施形態６に係るペット用トイレの支持台におけるメッシュの構成を表す斜視図である。
【図１１】本発明の実施形態７に係るペット用トイレの支持台におけるメッシュの構成を表す斜視図である。
【図１２】本発明の実施形態８に係るペット用トイレの支持台におけるメッシュの構成を表す斜視図である。
【図１３】本発明の実施形態１に係るペット用トイレの支持台の構成を表す断面図である。
【発明を実施するための形態】
【００１１】
〔実施形態１〕
（ペット用トイレ１の全体構成）
図１は、本発明の実施形態１に係るペット用トイレの構成を示す図である。図１の（ａ）は、ペット用トイレ１の平面図であり、図１の（ｂ）（ｃ）は、ペット用トイレ１の側面図であり、図１の（ｄ）は、ペット用トイレ１の正面図である。図２は、ペット用トイレ１の断面図である。図３は、ペット用トイレ１の斜視図である。図４の（ａ）（ｂ）は、ペット用トイレ１の分解斜視図である。図１３の（ａ）は、ペット用トイレ１の支持台３０の構成を表す断面図である。各図はペット用トイレ１の構成を模式的に示す。
【００１２】
なお、以下の説明では、ペット用トイレ１（動物用トイレ）は、ペットである動物の体重を計測する体重計測装置としての機能も有するものを例として説明するがこれに限定されることは無く、排泄物が支持台３０から排泄トレー１３（排泄物受け）へ落下する構造を有するものであれば本発明が適用できるものである。ペット用トイレ１は、本体容器１０、カバー１１、支持台３０、排泄トレー１３（排泄物受け）、吸収シート１４（保持体）、支持部１５、第１重量計２１、第２重量計２２、および制御装置２３を備える。図１の（ｂ）（ｃ）では、第１重量計２１を省略している。図２〜図４では、カバー１１は省略している。また、図３、図４では、制御装置２３も省略している。
【００１３】
本体容器１０は、カバー１１と、支持台３０とを支持する。本体容器１０は、排泄トレー１３の一部を支えてもよい。本体容器１０の底部には、中央の領域（第１重量計２１に対応する領域）に穴が形成されている。カバー１１は、ペット用トイレ１に乗った動物の四方を囲むカバーであるが、これに限らず、例えば、三方を囲むカバーでもよい。
【００１４】
支持台３０は、動物がそこに乗り、排泄をする台である。支持台３０の底部３１には網目が設けられたメッシュ（開口部）３２が形成されている。メッシュ３２の上方側から排泄された動物の排泄物（ここでは尿）は、メッシュ３２を通過して、支持台３０の底部３１における下側面３１ａに対向配置されている排泄トレー１３に落ちる。支持台３０は、尿が付着して溜まらず、尿が流れやすいように、撥水性を有していてもよい。ここでは、メッシュ３２は、液体は通過させるが、糞および動物が咥えてきた物体（おもちゃ）等は通過させない。なお、支持台３０には、網目が設けられたメッシュ３２の代わりに、排泄物が通過する他の形状の開口が形成されていてもよい。支持台３０は、本実施形態では凹型の容器のような形状であるが、支持台３０の形状は任意である。なお、支持台３０が支持する別の部材に動物が載る構成であってもよい。
【００１５】
排泄トレー１３は、支持台３０の下方であって、底部３１におけるメッシュ３２及び開口部周囲の下側面３１ａに対向して配置される。排泄トレー１３は、排泄物を受ける部材である。排泄トレー１３が受ける範囲は、支持台３０のメッシュ３２が形成された領域を含む（該領域より広い）。排泄トレー１３上に、尿を保持する保持体として吸収シート１４を配置してもよい。排泄トレー１３は、本体容器１０の側面に形成された穴から挿入および抜き取られることができる。
【００１６】
支持部１５は、第１重量計２１、および第２重量計２２を支持する台板である。ここでは、支持部１５上に制御装置２３が配置されており、制御装置２３上に第１重量計２１が配置されている。このように、支持部１５は、制御装置２３を介して第１重量計２１を支持してもよい。
【００１７】
第１重量計２１は、本体容器１０の底部の穴を貫通して排泄トレー１３に接触し、排泄トレー１３を支持する。第１重量計２１は、例えば、ロードセルを含む。第１重量計２１は、吸収シート１４および排泄物を含む排泄トレー１３の重量を計測する。排泄トレー１３には、支持台３０および動物の重量は掛からない。第１重量計２１は、計測値を制御装置２３に出力する。
【００１８】
第２重量計２２は、少なくとも支持台３０を含む構造物を支持する。ここでは、第２重量計２２は、支持台３０、本体容器１０、およびカバー１１を含む構造物を支持する。４つの第２重量計２２が、本体容器１０の底部の４隅に接触するよう、設けられている。第２重量計２２は、例えば、ロードセルを含む。第２重量計２２は、支持台３０、本体容器１０、およびカバー１１を含む構造物と動物との合計の重量を計測する。第２重量計２２には、排泄物の重量は掛からない（またはほとんど掛からない）。第２重量計２２は、計測値を制御装置２３に出力する。
【００１９】
制御装置２３は、第１重量計２１および第２重量計２２の測定値から、動物の体重および排泄物の重量の値を求める。ここでは、制御装置２３は、制御基板等を収める筐体を備える。制御装置２３は、電源スイッチ２４を備える。
【００２０】
図１３の（ｂ）は、支持台３０の変形例の構成を表す断面図である。支持台３０は、図１３の（ｂ）に示す構成であってもよい。
【００２１】
（メッシュ３２の構成）
図５は、本発明の実施形態１に係るペット用トイレ１の支持台３０におけるメッシュ３２の構成を表す斜視図である。図５の（ｂ）は（ａ）を拡大した図である。図５は、支持台３０の底部３１を、下方側（排泄トレー１３が配される側）から見た図を表している。
【００２２】
図５に示すように、支持台３０の底部３１における下側面３１ａに囲まれた領域内にメッシュ３２が形成されている。下側面３１ａはメッシュ３２の近傍の領域である。メッシュ３２には、第１方向に延びる第１梁３３・３４と、第１梁３３・３４と交差する第２方向に延びる第２梁３５とが形成されている。第１梁３３・３４と、第２梁３５とが直角に交差することで格子状の網目が構成されている。
【００２３】
第１梁３３・３４と、第２梁３５とによって区画されることで開口３６が形成されている。複数の開口３６を通過して、動物から排泄された尿は、開口３６の下方に配置されている排泄トレー１３に落ちる。
【００２４】
本実施形態においては、開口３６は長方形を有している。第１梁３３・３４は、開口３６における長手方向の梁であり、第２梁３５は、長手方向に直交する短手方向の梁である。なお、開口３６の形状は、長方形状に限定されるものではなく、正方形、三角形、５角形以上の多角形等、種々の形状を取り得る。また、メッシュ３２の網目（すなわち開口３６の配置）は、動物の排泄物を、開口３６を通して下方に落下させることができる形状であればよいため、格子状に限定されるものではなく、放射状等であってもよい。
【００２５】
第１梁３３・３４のうちの少なくとも一部の第１梁３４は、底部３１における下側面３１ａよりも下方（排泄トレー１３に近づく方向）に突出している。また、第１梁３４は、第１梁３３、及び、第２梁３５よりも下方に突出している。これにより、メッシュ３２の上方側から排泄された動物の尿が、メッシュ３２における第１梁３３の下側面及び第２梁３５の下側面に付着すると、より下方に配置されている第１梁３４に集まり、移動しやすい。このように、第１梁３４の下側面に集まった尿は水滴が大きくなり、当該水滴は、第１梁３４から、下方に配置された排泄トレー１３の吸収シート１４へ落下する。
【００２６】
このため、メッシュ３２を構成する網目である第１梁３３・３４及び第２梁３５に付着した尿をより確実に、落下させることができる。
【００２７】
ここで、メッシュ３２に付着し乾燥した尿を、布やテッシュ等で拭き取る場合や、ブラシで清掃する場合、メッシュ３２を構成する網目である第１梁３３・３４及び第２梁３５が交差している箇所は、当該交差していない箇所と比べて、布やテッシュ、又は、ブラシなどが届きにくいため清掃がし難い。上述した特許文献１の動物用トイレは、清掃がし難い、桟同士が交差する部分に尿が集まりやすい形状であった。
【００２８】
一方、メッシュ３２によると、第１梁３３・３４及び第２梁３５が交差している箇所ではなく、第１梁３３・３４及び第２梁３５が交差していない箇所の少なくとも一部である第１梁３４が、底部３１における下側面３１ａよりも下方に突出している。これにより、第１梁３３・３４及び第２梁３５が交差している箇所よりも清掃がし易い第１梁３４に尿が集まりやすい形状となっている。このため、清掃がし易いペット用トイレ１を構成することができる。
【００２９】
さらに、メッシュ３２を構成する網目の少なくとも一部である第１梁３４全体が、底部３１における下側面３１ａよりも下方に突出している。すなわち、第１梁３４における下方に突出する尾根（下側面）は、第１方向に延びている。このように、メッシュ３２において尿が集まりやすい第１梁３４が底部３１における下側面３１ａより下方に突出し、第１方向に延びているため、当該第１方向に拭き取ればよく、清掃がし易い。
【００３０】
なお、第１梁３４は、第２梁３５との交差箇所間（交差していない箇所）の少なくとも一部が、第１梁３３、第２梁３５、及び、下側面３１ａよりも下方に突出している構成であってもよい。これによっても、メッシュ３２の網目を拭き取りやすく清掃がし易いペット用トイレ１を得ることができる。
【００３１】
本実施形態においては、第１梁３４の尾根（下側面）は、隣接する２個の開口３６に跨って第１方向に延びている。第１梁３４が跨っている２個の開口３６間の第２梁３５と、第１梁３４との交差箇所も、第１梁３４の尾根の一部となっており、第１梁３３、第２梁３５、及び、下側面３１ａよりも下方に突出している。このように、第１梁３４は、延伸方向に尾根の高さが均一であるため拭き取りやすく、より清掃がし易いペット用トイレ１を構成することができる。
【００３２】
さらに、第１梁３４の尾根（下側面）は平坦ではなく、下方に突出した曲面である。このため、第１梁３４の尾根に付着した動物の尿は、当該曲面に沿って移動し、第１梁３４の頂点に集まりやすい。そして、当該頂点に到達した動物の尿は下方に配置された排泄トレー１３の吸収シート１４へ落下する。このように、第１梁３４は、尾根（下側面）が平坦である形状と比べて、より確実に、尿を落下させることができる。
【００３３】
〔実施形態２〕
本発明の実施形態２について、図６に基づいて説明すれば、以下のとおりである。なお、説明の便宜上、実施形態１にて説明した部材と同じ機能を有する部材については、同じ符号を付記し、その説明を省略する。
【００３４】
図６は、本発明の実施形態２に係るペット用トイレ１の支持台３０におけるメッシュ３２Ａの構成を表す斜視図である。図６の（ｂ）は（ａ）を拡大した図である。図６は、支持台３０の底部３１を、下方側（排泄トレー１３が配される側）から見た図を表している。
【００３５】
本実施形態に係るペット用トイレ１の支持台３０は、メッシュ３２（図５参照）に換えてメッシュ（開口部）３２Ａを備えている。メッシュ３２Ａは、メッシュ３２（図５参照）における第１梁３４を第１梁３７へ変更した構成である。メッシュ３２Ａの他の構成はメッシュ３２と同様である。
【００３６】
第１梁３７は、メッシュ３２Ａに設けられ、第１方向に延びる第１梁３３・３７のうちの一部の梁である。
【００３７】
第１梁３７は、底部３１における下側面３１ａよりも下方（排泄トレー１３に近づく方向）に突出している。また、第１梁３７は、第１梁３３、及び、第２梁３５よりも下方に突出している。これにより、メッシュ３２の上方側から排泄された動物の尿が、メッシュ３２における第１梁３３の下側面及び第２梁３５の下側面に付着すると、より下方に配置されている第１梁３７に集まり、移動しやすい。このように、第１梁３７の下側面に集まった尿は水滴が大きくなり、当該水滴は、第１梁３７から、下方に配置された排泄トレー１３の吸収シート１４へ落下する。このため、メッシュ３２Ａを構成する網目である第１梁３３・３７及び第２梁３５に付着した尿をより確実に、落下させることができる。
【００３８】
さらに、メッシュ３２Ａを構成する網目の少なくとも一部である、第２梁３５との交差箇所間全体が、底部３１における下側面３１ａよりも下方に突出している。すなわち、第１梁３７における下方に突出する尾根（下側面）は、第１方向に延びている。このように、メッシュ３２において尿が集まりやすい第１梁３７が底部３１における下側面３１ａより下方に突出し、第１方向に延びているため、当該第１方向に拭き取ればよく、清掃がし易い。
【００３９】
なお、第１梁３７は、第２梁３５との交差箇所間（交差していない箇所）の少なくとも一部が、第１梁３３、第２梁３５、及び、下側面３１ａよりも下方に突出している構成であってもよい。これによっても、メッシュ３２の網目の清掃がし易いペット用トイレ１を得ることができる。
【００４０】
第１梁３７は、第２梁３５との交差箇所同士の間に、下向きの頂点を有する形状である。本実施形態においては、第１梁３７における、第２梁３５から上記頂点を結ぶ斜面は、第２梁３５から上記頂点にかけて下方（図６における紙面上方）へ向かう傾斜面である。すなわち、第１梁３７は長手方向に切った断面が三角形状である。このため、第２梁３５の下側面や、第１梁３７の下側面に付着した動物の尿は、第１梁３７の下側面である上記傾斜面に沿って下方へ移動し、上記頂点に到達する。そして、上記頂点に到達した動物の尿は下方に配置された排泄トレー１３の吸収シート１４へ落下する。
【００４１】
このように、第１梁３７は、第２梁３５との交差箇所同士の間に、下向きの頂点を有する形状であるため、当該頂点を有しない形状と比べて、メッシュ３２Ａを構成する網目である第１梁３３・３７及び第２梁３５に付着した尿をより確実に、落下させることができる。
【００４２】
加えて、第１梁３７は、第２梁３５との交差箇所同士の間に、下向きの頂点を有する形状であるため、当該下向きの頂点を有さず尾根（下側面）の高さが均一である形状と比べて、より、底部３１における下側面３１ａ、第１梁３３、及び、第２梁３５よりも下方に突出する。このため、第１梁３７は拭き易く、より清掃がし易いペット用トイレ１を得ることができる。
【００４３】
〔実施形態３〕
本発明の実施形態３について、図７に基づいて説明すれば、以下のとおりである。なお、説明の便宜上、実施形態１、２にて説明した部材と同じ機能を有する部材については、同じ符号を付記し、その説明を省略する。
【００４４】
図７は、本発明の実施形態３に係るペット用トイレ１の支持台３０におけるメッシュ３２Ｂの構成を表す斜視図である。図７の（ｂ）は（ａ）を拡大した図である。図７は、支持台３０の底部３１を、下方側（排泄トレー１３が配される側）から見た図を表している。
【００４５】
本実施形態に係るペット用トイレ１の支持台３０は、メッシュ３２（図５参照）に換えてメッシュ（開口部）３２Ｂを備えている。メッシュ３２Ｂは、メッシュ３２（図５参照）における第１梁３４を第１梁４１へ変更した構成である。メッシュ３２Ｂの他の構成はメッシュ３２と同様である。第１梁４１は、メッシュ３２Ｂに設けられ、第１方向に延びる第１梁３３・４１のうちの一部の梁である。
【００４６】
第１梁４１は、底部３１における下側面３１ａよりも下方（排泄トレー１３に近づく方向）に突出している。また、第１梁４１は、第１梁３３、及び、第２梁３５よりも下方に突出している。これにより、メッシュ３２の上方側から排泄された動物の尿が、メッシュ３２における第１梁３３の下側面及び第２梁３５の下側面に付着すると、より下方に配置されている第１梁４１に集まり、移動しやすい。このように、第１梁４１の下側面に集まった尿は水滴が大きくなり、当該水滴は、第１梁４１から、下方に配置された排泄トレー１３の吸収シート１４へ落下する。
【００４７】
このため、メッシュ３２Ｂを構成する網目である第１梁３３・４１及び第２梁３５に付着した尿をより確実に、落下させることができる。
【００４８】
さらに、メッシュ３２Ｂを構成する網目の少なくとも一部である第１梁４１全体が、底部３１における下側面３１ａよりも下方に突出している。すなわち、第１梁４１における下方に突出する尾根（下側面）は、第１方向に延びている。このように、メッシュ３２Ｂにおいて尿が集まりやすい第１梁４１が底部３１における下側面３１ａより下方に突出し、第１方向に延びているため、当該第１方向に拭き取ればよく、清掃がし易い。
【００４９】
なお、第１梁４１は、第２梁３５との交差箇所間（交差していない箇所）の少なくとも一部が、第１梁３３、第２梁３５、及び、下側面３１ａよりも下方に突出している構成であってもよい。これによっても、メッシュ３２Ｂの網目の清掃がし易いペット用トイレ１を得ることができる。
【００５０】
本実施形態においては、第１梁４１の尾根（下側面）は、隣接する２個の開口３６に跨って伸びて第１方向に延びている。第１梁４１が跨っている２個の開口３６間の第２梁３５と、第１梁４１との交差箇所も、第１梁４１の尾根の一部となっており、第１梁３３、第２梁３５、及び、下側面３１ａよりも下方に突出している。これによると、よりメッシュ３２Ｂの網目の清掃がし易いペット用トイレ１を得ることができる。
【００５１】
第１梁４１は、第２梁３５との交差箇所同士の間に、下向きの頂点を有する形状である。本実施形態において、第１梁４１における第２梁３５との交差箇所間の尾根は、上記頂点を含む曲面となっている。このため、第２梁３５の下側面や、第１梁４１の下側面に付着した動物の尿は、第１梁４１の下側面である上記曲面に沿って下方へ移動し、上記頂点に到達する。そして、上記頂点に到達した動物の尿は下方に配置された排泄トレー１３の吸収シート１４へ落下する。
【００５２】
このように、第１梁４１は、第２梁３５との交差箇所同士の間に、下向きの頂点を有する形状であるため、当該頂点を有しない形状と比べて、メッシュ３２Ｂを構成する網目である第１梁３３・４１及び第２梁３５に付着した尿をより確実に、落下させることができる。
【００５３】
加えて、第１梁４１は、第２梁３５との交差箇所同士の間に、下向きの頂点を有する形状であるため、当該下向きの頂点を有さず尾根（下側面）が平坦である形状と比べて、より、底部３１における下側面３１ａ、第１梁３３、及び、第２梁３５よりも下方に突出する。このため、第１梁４１は拭き易く、より清掃がし易いペット用トイレ１を得ることができる。
【００５４】
〔実施形態４〕
本発明の実施形態４について、図８に基づいて説明すれば、以下のとおりである。なお、説明の便宜上、実施形態１〜３にて説明した部材と同じ機能を有する部材については、同じ符号を付記し、その説明を省略する。
【００５５】
図８は、本発明の実施形態４に係るペット用トイレ１の支持台３０におけるメッシュ３２Ｃの構成を表す斜視図である。図８の（ｂ）は（ａ）を拡大した図である。図８は、支持台３０の底部３１を、下方側（排泄トレー１３が配される側）から見た図を表している。
【００５６】
本実施形態に係るペット用トイレ１の支持台３０は、メッシュ３２Ａ（図６参照）に換えてメッシュ（開口部）３２Ｃを備えている。メッシュ３２Ｃは、メッシュ３２Ａ（図６参照）における第１梁３７を第１梁４２へ変更した構成である。メッシュ３２Ｃの他の構成はメッシュ３２Ａと同様である。
【００５７】
第１梁４２は、第１梁３７の頂点にドーム状の突起４２ａが設けられた構成である。ドーム状の一例として、本実施形態では、突起４２ａは半球形状を有している。このように、第１梁４２は、尿が集まりやすい第１梁３７の頂点に突起４２ａが設けられているため、頂点に集まった尿を速やかに下方に配置された排泄トレー１３の吸収シート１４へ落下させることができる。
【００５８】
このため、メッシュ３２Ｃを構成する網目である第１梁３３・４２及び第２梁３５に付着した尿をより確実に、落下させることができる。
【００５９】
〔実施形態５〕
本発明の実施形態５について、図９に基づいて説明すれば、以下のとおりである。なお、説明の便宜上、実施形態１〜４にて説明した部材と同じ機能を有する部材については、同じ符号を付記し、その説明を省略する。
【００６０】
図９は、本発明の実施形態５に係るペット用トイレ１の支持台３０におけるメッシュ３２Ｄの構成を表す斜視図である。図９の（ｂ）は（ａ）を拡大した図である。図９は、支持台３０の底部３１を、下方側（排泄トレー１３が配される側）から見た図を表している。
【００６１】
本実施形態に係るペット用トイレ１の支持台３０は、メッシュ３２Ｂ（図７参照）に換えてメッシュ（開口部）３２Ｄを備えている。メッシュ３２Ｄは、メッシュ３２Ｂ（図７参照）における第１梁４１を第１梁４３へ変更した構成である。メッシュ３２Ｄの他の構成はメッシュ３２Ｂと同様である。
【００６２】
第１梁４３は、第１梁４１の頂点にドーム状の突起４３ａが設けられた構成である。ドーム状の一例として、本実施形態では、突起４３ａは半球形状を有している。このように、第１梁４３は、尿が集まりやすい第１梁４１の頂点に突起４３ａが設けられているため、頂点に集まった尿を速やかに下方に配置された排泄トレー１３の吸収シート１４へ落下させることができる。
【００６３】
このため、メッシュ３２Ｄを構成する網目である第１梁３３・４３及び第２梁３５に付着した尿をより確実に、落下させることができる。
【００６４】
〔実施形態６〕
本発明の実施形態６について、図１０に基づいて説明すれば、以下のとおりである。なお、説明の便宜上、実施形態１〜５にて説明した部材と同じ機能を有する部材については、同じ符号を付記し、その説明を省略する。
【００６５】
図１０は、本発明の実施形態６に係るペット用トイレ１の支持台３０におけるメッシュ３２Ｅの構成を表す斜視図である。図１０の（ｂ）（ｃ）は（ａ）を拡大した図である。図１０の（ｂ）は（ａ）に示すメッシュ３２Ｅの長手方向に切った断面図であり、（ｃ）は（ａ）に示すメッシュ３２Ｅの長手方向に直交する短手方向に切った断面図である。図１０は、支持台３０の底部３１を、下方側（排泄トレー１３が配される側）から見た図を表している。
【００６６】
本実施形態に係るペット用トイレ１の支持台３０は、メッシュ３２（図５参照）に換えてメッシュ（開口部）３２Ｅを備えている。
【００６７】
メッシュ３２Ｅは、メッシュ３２（図５参照）における第１梁３４を第１梁４４へ、第２梁３５の一部を第２梁４５へ変更し、さらに、ドーム状の突起４６を備えた構成である。メッシュ３２Ｅの他の構成はメッシュ３２と同様である。
【００６８】
第１梁４４は、第１方向に延びる第１梁３３・４４のうちの一部の梁である。第２梁４５は、第２方向に延びる第２梁３５・４５のうちの一部の梁である。
【００６９】
第１梁４４及び第２梁４５の両方において、下向き（図１０における紙面上向き、排泄トレー１３へ近づく方向）の山となっている交差箇所と、谷となっている交差箇所とが交互に並んでいる。このように、第１方向に延びる第１梁４４と、第２方向に延びる第２梁４５との両方に下向き（図１０における紙面上向き、排泄トレー１３へ近づく方向）の山となっている交差箇所を有するため、一方向にしか山を有さない構成と比べて、より速やかに山の頂点に動物の尿を集めやすい。このため、より速やかに、また確実にメッシュ３２Ｅを構成する網目である第１梁３３・４４及び第２梁３５・４５に付着した尿を落下させることができる。
【００７０】
さらに、第１梁４４及び第２梁４５における下向き（図１０における紙面上向き、排泄トレー１３へ近づく方向）の山となっている交差箇所には、ドーム状の突起４６が形成されている。ドーム状の一例として、本実施形態では、突起４６は半球形状を有している。このように、尿が集まりやすい上記下向きの山の頂点に突起４６が設けられているため、頂点に集まった尿を速やかに下方に配置された排泄トレー１３の吸収シート１４へ落下させることができる。
【００７１】
このため、メッシュ３２Ｅを構成する網目である第１梁３３・４４及び第２梁３５・４５に付着した尿をより確実に、落下させることができる。
【００７２】
〔実施形態７〕
本発明の実施形態７について、図１１に基づいて説明すれば、以下のとおりである。なお、説明の便宜上、実施形態１〜６にて説明した部材と同じ機能を有する部材については、同じ符号を付記し、その説明を省略する。
【００７３】
図１１は、本発明の実施形態７に係るペット用トイレ１の支持台３０におけるメッシュ３２Ｆの構成を表す斜視図である。図１１の（ｂ）は（ａ）を拡大した図である。図１１は、支持台３０の底部３１を、下方側（排泄トレー１３が配される側）から見た図を表している。
【００７４】
本実施形態に係るペット用トイレ１の支持台３０は、メッシュ３２（図５参照）に換えてメッシュ（開口部）３２Ｆを備えている。メッシュ３２Ｆは、メッシュ３２（図５参照）における第１梁３４を第１梁５１へ変更した構成である。メッシュ３２Ｆの他の構成はメッシュ３２と同様である。第１梁５１は、メッシュ３２Ｆに設けられ、第１方向に延びる第１梁３３・５１のうちの一部の梁である。
【００７５】
第１梁５１は、底部３１における下側面３１ａよりも下方（排泄トレー１３に近づく方向）に突出している。すなわち、第１梁５１は、第１梁３３、及び、第２梁３５よりも下方に突出している。
【００７６】
さらに、メッシュ３２Ｆを構成する網目の少なくとも一部である第１梁５１全体が、底部３１における下側面３１ａよりも下方に突出している。すなわち、第１梁５１における下方に突出する尾根（下側面）は、第１方向に延びている。このように、メッシュ３２Ｆにおいて尿が集まりやすい第１梁５１が底部３１における下側面３１ａより下方に突出し、第１方向に延びているため、当該第１方向に拭き取ればよく、清掃がし易い。
【００７７】
なお、第１梁５１は、第２梁３５との交差箇所間（交差していない箇所）の少なくとも一部が、第１梁３３、第２梁３５、及び、下側面３１ａよりも下方に突出している構成であってもよい。これによっても、メッシュ３２の網目の清掃がし易いペット用トイレ１を得ることができる。
【００７８】
本実施形態においては、第１梁５１の尾根（下側面）は、隣接する２個の開口３６に跨って第１方向に延びている。第１梁５１が跨っている２個の開口３６間の第２梁３５と、第１梁５１との交差箇所も、第１梁３４の尾根の一部となっており、第１梁３３、第２梁３５、及び、下側面３１ａよりも下方に突出している。このように、第１梁５１は、延伸方向に尾根の高さが均一であるため拭き取りやすく、より清掃がし易いペット用トイレ１を構成することができる。
【００７９】
第１梁５１のうち、第１梁３３及び第２梁３５から突出している部分を、延伸方向に垂直に切った断面は三角形状となっている。すなわち、第１梁５１の尾根は頂点を有し、当該頂点は、第１方向に延伸している。このため、第１梁５１は、延伸方向に亘って、頂点に尿を集めやすい。これにより、第２梁５１は、尾根が平坦である場合と比べて、より確実に尿を落下させることができる。
【００８０】
〔実施形態８〕
本発明の実施形態８について、図１２に基づいて説明すれば、以下のとおりである。なお、説明の便宜上、実施形態１〜７にて説明した部材と同じ機能を有する部材については、同じ符号を付記し、その説明を省略する。
【００８１】
図１２は、本発明の実施形態８に係るペット用トイレ１の支持台３０におけるメッシュ３２Ｇの構成を表す斜視図である。図１２は、支持台３０の底部３１を、上方側（排泄トレー１３が配される側とは逆側）から見た図を表している。つまり、図１２では、図５〜図１１に示した支持台３０の底部３１とは逆側の面を示している。
【００８２】
本実施形態に係るペット用トイレ１の支持台３０は、メッシュ３２（図５参照）に換えてメッシュ（開口部）３２Ｇを備えている。メッシュ３２Ｇは、メッシュ３２（図５参照）における第１梁３４を第１梁５２へ変更した構成である。メッシュ３２Ｇの他の構成はメッシュ３２と同様である。
【００８３】
第１梁５２は、メッシュ３２Ｇに設けられ、第１方向に延びる第１梁３３・５２のうちの一部の梁である。
【００８４】
第１梁５２は、底部３１における下側面３１ａよりも下方（排泄トレー１３に近づく方向）に突出している。また、第１梁５２は、第１梁３３、及び、第２梁３５よりも下方に突出している。これにより、メッシュ３２Ｇの上方側から排泄された動物の尿が、メッシュ３２Ｇにおける第１梁３３の下側面及び第２梁３５の下側面に付着すると、より下方に配置されている第１梁５２に集まり、移動しやすい。このように、第１梁５２の下側面に集まった尿は水滴が大きくなり、当該水滴は、第１梁５２から、下方に配置された排泄トレー１３の吸収シート１４へ落下する。このため、メッシュ３２Ｇを構成する網目である第１梁３３・５１及び第２梁３５に付着した尿をより確実に、落下させることができる。
【００８５】
さらに、メッシュ３２Ｇを構成する網目の少なくとも一部である、第２梁３５との交差箇所間全体が、底部３１における下側面３１ａよりも下方に突出している。すなわち、第１梁５２における下方に突出する尾根（下側面）は、第１方向に延びている。このように、メッシュ３２Ｇにおいて尿が集まりやすい第１梁５２が底部３１における下側面３１ａより下方に突出し、第１方向に延びているため、当該第１方向に拭き取ればよく、清掃がし易い。
【００８６】
なお、第１梁５２は、第２梁３５との交差箇所間（交差していない箇所）の少なくとも一部が、第１梁３３、第２梁３５、及び、下側面３１ａよりも下方に突出している構成であってもよい。これによっても、メッシュ３２の網目の清掃がし易いペット用トイレ１を得ることができる。
【００８７】
第１梁５２は、第２梁３５との交差箇所同士の間に、下向きの頂点を有する形状である。本実施形態においては、第１梁５２における第２梁３５との交差箇所間の尾根（下側面）は、上記頂点を含む曲面となっている。加えて、第１梁５２における第２梁３５との交差箇所間の上側面も、頂点を含む下方に突出した曲面となっている。
【００８８】
このため、第２梁３５の下側面及び上側面や、第１梁５２の下側面及び上側面に付着した動物の尿は、第１梁５２の下側面及び上側面であるそれぞれの曲面に沿って、それぞれの面おける頂点に到達する。そして、第１梁５２の下側面及び上側面それぞれの頂点に到達した動物の尿は下方に配置された排泄トレー１３の吸収シート１４へ落下する。
【００８９】
このように、第１梁５２は、第２梁３５との交差箇所同士の間に、下向きの頂点を有する形状であるため、当該頂点を有しない形状と比べて、メッシュ３２Ｇを構成する網目である第１梁３３・５２及び第２梁３５に付着した尿をより確実に、落下させることができる。
【００９０】
加えて、第１梁５２は、第２梁３５との交差箇所同士の間に、下向きの頂点を有する形状であるため、当該下向きの頂点を有さず尾根（下側面）が平坦である形状と比べて、より、底部３１における下側面３１ａ、第１梁３３、及び、第２梁３５よりも下方に突出する。このため、第１梁５２は拭き易く、より清掃がし易いペット用トイレ１を得ることができる。
【００９１】
さらに、第１梁５２の上側面は下向きに突出した曲面であるため、第１梁５２間である第１梁５２と第２梁３５との交差箇所における上側面は、上向きに突出した形状となっている。このように、動物の尿が直接当たる上側面であって、尿が溜まりやすい第１梁５２と第２梁３５との交差箇所も拭き易く、より清掃がし易いペット用トイレ１を得ることができる。
【００９２】
〔まとめ〕
本発明の態様１に係る動物用トイレ（ペット用トイレ１）は、動物が排尿する支持台３０を備えた動物用トイレ（ペット用トイレ１）であって、上記支持台３０の底部３１には、開口部（メッシュ３２）が形成されており、上記開口部（メッシュ３２）には網目（第１梁３３・３４、第２梁３５）が形成されており、上記網目の一部（第１梁３４）は、当該網目の一部以外の上記支持台３０の下側面３１ａより下方に突出していることを特徴とする。
【００９３】
上記構成によると、上記開口部の上方側から排泄された動物の尿が、上記開口部における網目に付着すると、より下方に突出している上記網目の一部に集まり、移動しやすい。このように、上記網目の一部に集まった尿は水滴が大きくなり、当該水滴は、上記網目の一部から下方に落下する。
【００９４】
このため、上記開口部を構成する上記網目に付着した尿をより確実に、落下させることができる。加えて、上記網目の一部は、当該網目の一部以外の上記支持台の下側面３１ａより下方に突出しているため、拭き取りやすく清掃がし易い。このように、上記構成によると、開口部に付着した動物の尿等の排泄物を下方に落下させ易く、かつ、掃除がし易い動物用トイレを得ることができる。
【００９５】
本発明の態様２に係る動物用トイレ（ペット用トイレ１）は、上記態様１において、上記網目における交差していない箇所の少なくとも一部が、上記網目における交差箇所よりも下方に突出していることが好ましい。
【００９６】
ここで、上記網目に付着し乾燥した尿を、布やテッシュ等で拭き取る場合や、ブラシで清掃する場合、上記網目の交差している箇所は、当該網目の交差していない箇所と比べて、布やテッシュ、又は、ブラシなどが届きにくいため清掃がし難い。上述した特許文献１の動物用トイレは、清掃がし難い、桟同士が交差する部分に尿が集まりやすい形状であった。
【００９７】
一方、上記構成によると、上記網目における交差している箇所ではなく、上記網目における交差していない箇所の少なくとも一部が、上記網目における交差箇所よりも下方に突出している。これにより、上記網目における交差している箇所よりも清掃がし易い上記網目おける交差していない箇所の少なくとも一部に尿が集まりやすい形状となっている。このため、清掃がし易い動物用トイレを構成することができる。
【００９８】
本発明の態様３に係る動物用トイレ（ペット用トイレ１）は、上記態様２において、上記網目（第１梁３７）は、交差箇所同士の間に、下向きの頂点を有することが好ましい。上記構成によると、上記下向きの頂点に尿が集まりやすい。このため、上記網目に付着した上記動物の尿をより確実に落下させることができる。
【００９９】
本発明の態様４に係る動物用トイレ（ペット用トイレ１）は、上記態様１〜３において、上記網目は、第１方向に延びる梁（第１梁３３・３４）と、第１方向と交差する第２方向に延びる梁（第２梁３５）とを含むことが好ましい。このように網目が構成されている。
【０１００】
本発明の態様５に係る動物用トイレ（ペット用トイレ１）は、上記態様４において、上記第１方向に延びる梁（第１梁３４）は、上記第２方向に延びる梁（第２梁３５）よりも、下方に突出していることが好ましい。上記構成により、上記第１方向に延びる梁に動物の尿を集めることができる。そして、当該第１方向に延びる梁に集まった動物の尿を速やかに落下させることができる。そして、第１方向に延びる梁に集まった動物の尿を、当該第１方向に拭き取ればよいため、清掃がし易い。
【０１０１】
本発明の態様６に係る動物用トイレ（ペット用トイレ１）は、上記態様４又は５において、上記第１方向に延びる梁（第１梁３４）における下方に突出する尾根は、上記第１方向に延びていることが好ましい。これにより、第１方向に延びる梁に集まった動物の尿を、当該第１方向に拭き取ればよいため、清掃がし易い。
【０１０２】
本発明の態様７に係る動物用トイレ（ペット用トイレ１）は、上記態様１〜６において、上記網目（第１梁３７、第２梁３５）における交差箇所同士の間には、ドーム状の突起４２ａが形成されていることが好ましい。上記構成により、当該ドーム状の突起に尿を集めることができる。そして当該突起に集まった尿を速やかに落下させることができる。
【０１０３】
本発明の態様８に係る動物用トイレ（ペット用トイレ１）は、上記態様１において、上記網目（メッシュ３２Ｅ）は、第１方向に延びる梁（第１梁４４）と、第１方向と交差する第２方向に延びる梁（第２梁４５）とを含み、上記第１方向および上記第２方向の両方において、下向きの山となっている交差箇所と、谷となっている交差箇所とが交互に並んでいることが好ましい。上記構成によると、第１方向と第２方向とのうち、一方向にしか山を有さない構成と比べて、より速やかに山の頂点に動物の尿を集めやすい。このため、より速やかに、また確実に上記網目に付着した尿を落下させることができる。
【０１０４】
本発明の態様９に係る動物用トイレ（ペット用トイレ１）は、上記態様８において、上記下向きの山となっている交差箇所には、ドーム状の突起４６が形成されていることが好ましい。上記構成によると、尿が集まりやすい上記山に上記突起が設けられているため、上記山に集まった尿を速やかに落下させることができる。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１  ペット用トイレ（動物用トイレ）
１０  本体容器
１１  カバー
１３  排泄トレー
１４  吸収シート
１５  支持部
２１  第１重量計
２２  第２重量計
２３  制御装置
２４  電源スイッチ
３０  支持台
３１  底部
３１ａ  下側面
３２、３２Ａ〜３２Ｇ  メッシュ（開口部）
３６  開口
３３・３４・３７・４１〜４４・５１・５２  梁（第１梁）
３５・４５  梁（第２梁）
４２ａ、４３ａ、４６  突起
【図１】
0006684111.tif 000002
【図２】
0006684111.tif 000003
【図３】
0006684111.tif 000004
【図４】
0006684111.tif 000005
【図５】
0006684111.tif 000006
【図６】
0006684111.tif 000007
【図７】
0006684111.tif 000008
【図８】
0006684111.tif 000009
【図９】
0006684111.tif 000010
【図１０】
0006684111.tif 000011
【図１１】
0006684111.tif 000012
【図１２】
0006684111.tif 000013
【図１３】
0006684111.tif 000014